(57)【要約】【課題】外観意匠性を損なうことがなく、また面格子本体の重量がサッシ枠に加わらないようにすることができる面格子の取付構造を提供する。【解決手段】サッシ枠４に対応する面格子の取付構造であって、面格子本体１と、当該面格子本体１に取り付けられる面格子ブラケット２と、壁付部材３とを備え、前記壁付部材３は、前記サッシ枠４の辺の近傍の壁面に当該サッシ枠４に沿うように設置され、前記面格子ブラケット２と前記壁付部材３とが固定されている、ことを特徴とする。【選択図】図１
2015183473.tif 000002
【特許請求の範囲】
【請求項１】
サッシ枠に対応する面格子の取付構造であって、
面格子本体と、当該面格子本体に取り付けられる面格子ブラケットと、壁付部材とを備え、
前記壁付部材は、前記サッシ枠の辺の近傍の壁面に当該サッシ枠に沿うように設置され、
前記面格子ブラケットと前記壁付部材とが固定されている、ことを特徴とする面格子の取付構造。
【請求項２】
前記サッシ枠の辺は、当該サッシ枠の上辺又は下辺である、請求項１に記載の面格子の取付構造。
【請求項３】
前記壁付部材の長さは、前記サッシ枠の対応する辺の長さよりも長い、請求項１又は２に記載の面格子の取付構造。
【請求項４】
前記壁付部材の長さは、前記サッシ枠の対応する辺の長さと略同一である、請求項１又は２に記載の面格子の取付構造。
【発明の詳細な説明】
【技術分野】
【０００１】
本発明は、面格子の取付構造に関する。
【背景技術】
【０００２】
窓等が設けられる建物開口部には、防犯の観点から面格子が取り付けられることがある。従来は、面格子本体の四隅に小型のブラケットを取り付け、このブラケットを、建物の躯体や外壁に固定したり、特許文献１に示されるように建物開口部に取り付けられるサッシ枠に固定したりしている。
【先行技術文献】
【特許文献】
【０００３】
【特許文献１】特開２０１２−３１６４２号公報
【発明の概要】
【発明が解決しようとする課題】
【０００４】
ところで、面格子ブラケットを建物の躯体や外壁に固定するには、固定に必要な強度を確保するため、図３に示すように面格子ブラケット１０を固定する位置を、建物開口部１１の縁部から所定寸法（図中、符号Ｗで示す）以上あける必要がある。この場合、面格子本体１２の外枠と建物開口部１１に取り付けられたサッシ枠との間には、正面視において比較的大きな間隔Ｄがあいてしまうため、この間隔Ｄから視認される外壁が目立ってしまい、面格子本体とサッシ枠との一体感が無くなって外観意匠性が損なわれてしまうという問題がある。また、サッシ枠のサイズに対して面格子本体のサイズが大きくなって重量が嵩むことになるため、面格子ブラケットや建物の外壁等にはより強い強度が要求されることになる。更に、建物の外壁等には、補強を目的として鉄筋を配していることが多く、建物に対してボルトやビスで面格子ブラケットを固定する際に、鉄筋等が妨げとなってビスの打ち損じを生じることがある。このような場合を想定して面格子ブラケットの別の位置でビス打ちができるようにしておくには、面格子ブラケットの座面を大きくしなければならないため、外観意匠性に影響が及ぶことになってしまう。
【０００５】
また、面格子ブラケットをサッシ枠に固定する場合には、面格子ブラケットを取り付けるための孔等を予めサッシ枠に形成しておく必要がある他、止水ラインを貫通しないようにするため、ボルトやビスで固定する部位に対し、サッシ枠の屋内側に壁部等を形成しておく必要がある。また、面格子本体の重量をサッシ枠で負担しなければならないことから、サッシ枠の強度をより高めておかなければならないという問題もある。
【０００６】
本発明は、このような問題点を解決することを課題とするものであり、外観意匠性を損なうことがなく、また面格子本体の重量がサッシ枠に加わらないようにすることができる面格子の取付構造を提供することを目的とする。
【課題を解決するための手段】
【０００７】
本発明であるサッシ枠に対応する面格子の取付構造は、面格子本体と、当該面格子本体に取り付けられる面格子ブラケットと、壁付部材とを備え、前記壁付部材は、前記サッシ枠の辺の近傍の壁面に当該サッシ枠に沿うように設置され、前記面格子ブラケットと前記壁付部材とが固定されている、ことを特徴とする。
【０００８】
また、前記サッシ枠の辺は、当該サッシ枠の上辺又は下辺であることが好ましい。
【０００９】
また、前記壁付部材の長さは、前記サッシ枠の対応する辺の長さよりも長いことが好ましい。
【００１０】
また、前記壁付部材の長さは、前記サッシ枠の対応する辺の長さと略同一であることが好ましい。
【発明の効果】
【００１１】
本発明では、壁付部材がサッシ枠の辺の近傍の壁面に当該サッシ枠に沿うように設置され、また、面格子ブラケットと壁付部材とが固定されているので、サッシ枠と面格子本体の外枠との間からは壁付部材が視認されることになる。このため、サッシ枠、壁付部材、及び面格子本体との間で一体感を出すことができるので、外観意匠性が損なわれることが無くなる。また面格子本体は、面格子ブラケット、及び壁付部材を介して建物の躯体や外壁に取り付けられることになるため、サッシ枠に面格子本体の重量が加わることがない。
【００１２】
また、壁付部材がサッシ枠の上辺又は下辺の近傍の壁に設置される場合は、複数の窓等が水平方向に連続して設けられている際にも、壁付部材を効率よく設置することができる。
【００１３】
また、壁付部材の長さがサッシ枠の対応する辺の長さよりも長い場合は、面格子本体の重量をより広い座面で負担することができるので、強度がそれ程強くない外壁に対しても面格子を取り付けることができる。
【００１４】
また、壁付部材の長さがサッシ枠の対応する辺の長さと略同一である場合は、サッシ枠、壁付部材、及び面格子本体との間の一体感をより高めることができるので、外観意匠性をより向上させることができる。
【図面の簡単な説明】
【００１５】
【図１】本発明の面格子の取付構造につき、その一実施形態を模式的に示す斜視図である。
【図２】図１に示す面格子の取付構造の縦断面図である。
【図３】面格子ブラケットを建物の外壁に固定した状態を模式的に示す斜視図である。
【発明を実施するための形態】
【００１６】
以下、図面を参照しつつ、本発明の面格子の取付構造につき、その一実施形態について詳細に説明する。
【００１７】
本実施形態の面格子の取付構造は、図１、図２に示すように、１つの面格子本体１、４つの面格子ブラケット２、及び２つの壁付部材３によって構成されている。また図１、図２中、符号４は建物開口部に取り付けられたサッシ枠を示し、符号５は建物の外壁を示す。なお、図１においてはサッシ枠４を簡略化し、その外形ラインのみを二点鎖線で示す。本実施形態におけるサッシ枠４は、上辺４ａ、下辺４ｂの長さに対し、左辺４ｃ、右辺４ｄの長さが長い、縦長の長方形状となっている。
【００１８】
面格子本体１は、本実施形態では概略、横断面形状がコ字状になる縦枠１ａを、開口側が内側を向くようにして左右に１つずつ配置し、横断面形状が方形状になる横枠１ｂを、縦枠１ａ間に複数架け渡して形成されている。また面格子本体１の外形は、横方向長さはサッシ枠４の上辺４ａ、下辺４ｂと略同じ長さとし、縦方向長さはサッシ枠４の左辺４ｃ、右辺４ｄよりも長くしている。
【００１９】
面格子ブラケット２は、本実施形態では概略、薄板をクランク状に折り曲げた形状をなすものである。また、面格子本体１の上部に取り付けられる面格子ブラケット２は、例えばビスｓ１等によって縦枠１ａの上面に固定されるように構成され、面格子本体１の下部に取り付けられる面格子ブラケット２は、同様にビスｓ１等によって縦枠１ａの下面に固定されるように構成されている。
【００２０】
壁付部材３は、本実施形態では概略、長方形状となるプレート３ａの中央部に全長に亘って延在する突起３ｂを設けたものであり、横断面形状が凸状になるものである。壁付部材３の全長は、サッシ枠４の上辺４ａ、下辺４ｂと略同じ長さとしている。また壁付部材３には、建物の外壁５に固定するためにビスｓ２等が挿通する孔３ｃが、左右にそれぞれ２つずつ設けられている。ここで孔３ｃは、壁付部材３を外壁５に取り付けた際に、建物開口部の縁部から所定寸法以上あく位置に設けられている。ところで、外壁５の内部に鉄筋が配されている場合は、鉄筋が妨げとなってビスの打ち損じが生じることがあるものの、鉄筋の線径や上下、左右のピッチは規格化されていることが大半である。このため本実施形態では、２つの孔３ｃの上下、左右におけるピッチを、規格化された鉄筋のものとはずらして設定している。これにより、２つの孔３ｃの一方でビスの打ち損じが生じても、もう一方の孔３ｃを利用してビス止めすることができる。また、面格子ブラケット２と壁付部材３とは、突起３ｂの下面においてビスｓ３等によって固定されるように構成している。面格子ブラケット２をビス止めする向きは、外壁５の法線に沿う方向になるようにしてもよいが、本実施形態のように突起３ｂの下面に対して垂直方向（外壁５の法線に対して直交する方向）である場合は、このビスが外壁５に対して干渉しないため、壁付部材３の厚みを薄くすることができる。なお、面格子ブラケット２と壁付部材３との固定は、上述したビスに限定されるものではなく、ボルトや接着剤等、種々の手段を用いることができる。また、面格子ブラケット２と壁付部材３とが一体化したものを用いてもよい。
【００２１】
このような構造となる面格子本体１、面格子ブラケット２、及び壁付部材３は、まず１つの壁付部材３を、サッシ枠４の上辺４ａの近傍における外壁５に対して、上辺４ａに沿うようにしてビス止めするとともに、もう１つの壁付部材３を、下辺４ｂの近傍における外壁５に対して、下辺４ｂに沿うようにしてビス止めする。なお、外壁５の内部に配された鉄筋によってビスの打ち損じが生じた場合には、近くに設けた他の孔３ｃを利用してビス止めを行うことができる。そして、面格子本体１の縦枠１ａに対して面格子ブラケット２をビス止めして固定し、更に、この面格子ブラケット２を、壁付部材３の突起３ｂの下面にビス止めして固定する。なお、取り付け順序は一例であり、作業性を考慮して適宜変更することができる。
【００２２】
このようにして取り付けられた面格子本体１は、面格子ブラケット２、及び壁付部材３を介して外壁５に取り付けることができるため、サッシ枠４には面格子本体１の重量が加わることがない。また、面格子本体１の最上部の横枠１ｂとサッシ枠４の上辺４ａとの間、及び面格子本体１の最下部の横枠１ｂとサッシ枠４の下辺４ｂとの間には、正面視において比較的大きな間隔ができるものの、この間隔の奥の部位には壁付部材３が設置されているため、面格子本体１、壁付部材３、及びサッシ枠４が一体感をもって視認されることになる。このため、外観意匠性が損なわれることがない。特に、本実施形態の壁付部材３のように全長に亘って延在する突起３ｂを設ける場合は、壁付部材３が上下に分割されたかの如き外観を呈することができるため、面格子本体１の横枠１ｂと相俟って、一体感をより高めることができる。
【００２３】
また、サッシ枠４の上辺４ａ、又は下辺４ｂの近傍に壁付部材３を設置する場合には、複数の窓等が水平方向に連続して設けられている場合の設置作業が特に効率よく行える。なお、上辺４ａから軒天までの間隔が壁付部材３の幅より狭く、壁付部材３を設置することができない場合は、上側の面格子ブラケット２を外壁５に直接固定してもよい。この場合、面格子本体１の上側の外枠とサッシ枠４の上辺４ａとの間には、壁付部材３が存在しないことになるものの、軒天は通常、人の身長以上の高さに設けられるため、外観意匠性に大きな影響が及ぶことはない。また地窓のように、下辺４ｂから地面までの間隔が壁付部材３の幅より狭く、壁付部材３を設置することができない場合は、下側の面格子ブラケット２を外壁５に直接固定してもよい。この場合、壁付部材３を設置できなかった位置は、地面に近い所になるため、軒天の場合と同様、外観意匠性に大きな影響が及ぶことはない。
【００２４】
また、壁付部材３の長さを、サッシ枠４の対応する辺の長さ（本実施形態では上辺４ａ、下辺４ｂの長さ）よりも長くする場合は、外壁５に対する壁付部材３の座面面積が増して、面格子本体１の重量に対する負担を分散することができるため、外壁５の強度がそれ程強くない部位にも壁付部材３を設置することができる。
【００２５】
一方、壁付部材３の長さが過大になると、壁付部材３が面格子本体１から大きくはみ出すことになるため、外観意匠性を損なわずに面格子本体１の重量に対する負担を分散させるには、壁付部材３の長さは、サッシ枠４の対応する辺の長さ（本実施形態では上辺４ａ、下辺４ｂの長さ）と略同一にすることが好ましい。
【００２６】
なお、本実施形態の壁付部材３は、サッシ枠４の上辺４ａ、又は下辺４ｂの近傍に設置するようにしたが、面格子本体１の横方向長さをサッシ枠４の上辺４ａ、下辺４ｂの長さよりも長くしたうえで、左辺４ｃ、右辺４ｄの近傍に設置することも可能である。この場合、外観意匠性を向上させるために、面格子本体１の縦方向長さをサッシ枠４の左辺４ｃ、右辺４ｄの長さと略同一にすることが好ましい。
【００２７】
本発明に従う面格子の取付構造は、本実施形態に限定されるものではなく、特許請求の範囲に従う範囲で種々の変更が可能である。例えば面格子本体は、建物開口部の形状や大きさに応じて、種々の形状、大きさものが採用できる。また面格子ブラケットは、面格子本体や壁付部材に対する取り付け位置を上述の実施形態とは別の位置に変更したり、補強のための折り曲げ部を設けたりしてもよく、またクランク形状のみならず、他の種々の形状に変更することができる。更に、薄板を折り曲げた如き形状のものに限定されるものではなく、ブロック状のものを用いることも可能である。また壁付部材は、各辺が直線状に延在するサッシ枠に対応させるべく、直線状に延在するように長方形状で形成しているが、例えばサッシ枠の辺が円弧状に延在する場合には、壁付部材も円弧状に延在するものが用いることが好ましい。更に壁付部材は、プレート状のものに限定されるものではなく、薄板を折り曲げた如き形状のものであっても、またブロック状のものを用いてもよい。また、施工性や生産性の観点から、長さ方向に分割されたものであってもよい。また、ビス止め用の孔を更に増やし、孔のピッチを狭めるようにしてもよく、この場合は、ビス１本あたりの強度負担を低減することができるので、躯体による補強の効果が得られにくい場所に対しても面格子を取り付けることができる。加えて、壁付部材３におけるプレート３ａ及び突起３ｂの屋外側コーナー部に、屋外側に向かって下向きに傾く傾斜面を設けるようにしてもよく、この場合は、壁付部材３の表面を流れる水等が外壁５に対して流れ込みにくくなるので、外壁５が汚れにくくなるという効果を得ることができる。更に、固定に用いたビスを隠すためのカバーを設けることで、外観意匠性を更に向上させることができる。
【産業上の利用可能性】
【００２８】
本発明は、窓等が設けられる建物開口部に対して面格子を取り付けるのに好適である。
【符号の説明】
【００２９】
１…面格子本体、１ａ…縦枠、１ｂ…横枠
２…面格子ブラケット
３…壁付部材、３ａ…プレート、３ｂ…突起、３ｃ…孔
４…サッシ枠、４ａ…上辺、４ｂ…下辺、４ｃ…左辺、４ｄ…右辺
５…外壁
【図１】
2015183473.tif 000003
【図２】
2015183473.tif 000004
【図３】
2015183473.tif 000005